(57)【要約】【課題】  強度面の不安定性を抑制しつつ、付帯構造物における意匠上の自由度を高めることが可能な付帯構造物の支持構造を提供する。【解決手段】  建物ユニット１００に付帯的に取り付けられる少なくとも一つの付帯構造物を組み付けるための付帯構造物の支持構造２０である。付帯構造物の支持構造２０は、建物の外周側に配置される建物ユニット１００の側面から外方へ突出するように、前記付帯構造物を上面で支持する水平材２１を備える。水平材２１は、建物ユニット１００の一側面１００ａ側に取り付けられ、当該一側面１００ａに隣接して直交する他側面１００ｂから外方に向けて突出する第一部材（主フレーム３０）と、他側面１００ｂから第一部材の突出方向に沿って突出し、なおかつ柱部１０１に接合された第二部材（副フレーム４０）とを備える。付帯構造物は、第一部材と、第二部材とに跨がるように連続している。【選択図】図３
2015052220.tif 000002
【特許請求の範囲】
【請求項１】
柱部に対して梁を接合してなる複数の建物ユニットに、当該建物ユニットに付帯的に取り付けられる少なくとも一つの付帯構造物を組み付けるための付帯構造物の支持構造において、
建物の外周側に配置される建物ユニットの側面から外方へ突出するように、前記付帯構造物を上面で支持する水平材を備え、
前記水平材は、
前記建物ユニットの一側面側に取り付けられ、当該一側面に隣接して直交する他側面から外方に向けて突出する第一部材と、
前記他側面から前記第一部材の突出方向に沿って突出し、なおかつ前記柱部に接合された第二部材とを備え、
前記付帯構造物は、前記第一部材と、前記第二部材とに跨がるように連続していることを特徴とする付帯構造物の支持構造。
【請求項２】
請求項１記載の付帯構造物の支持構造において、
前記付帯構造物は、下階の前記建物ユニットと上階の前記建物ユニットの境界部分に設けられたバルコニーユニットであり、
前記第二部材は、下階の前記建物ユニットの天井梁及び前記柱部に接合されていて、
前記バルコニーユニットは、前記上階の建物ユニットの床梁に接合されていることを特徴とする付帯構造物の支持構造。
【請求項３】
請求項２記載の付帯構造物の支持構造において、
前記第二部材は、
一端部が前記柱部に接合されて、前記突出方向に延在する第一フレーム材と、
一端部が前記天井梁に接合されて、前記第一フレーム材から所定の間隔を空けて、当該第一フレーム材に平行に延在する第二フレーム材と、
前記第一フレーム材と前記第二フレーム材との他端部同士を連結する連結部材とを備えることを特徴とする付帯構造物の支持構造。
【請求項４】
請求項３記載の付帯構造物の支持構造において、
前記第一フレーム材には、前記第一部材に接合される第一部材用接合部が設けられていることを特徴とする付帯構造物の支持構造。
【請求項５】
請求項２〜４のいずれか一項に記載の付帯構造物の支持構造において、
前記第一部材は、前記下階の建物ユニットの少なくとも一部を閉塞するためのシャッターの収容ボックス上端部が収容されるシャッター収容領域を有することを特徴とする付帯構造物の支持構造。
【請求項６】
請求項２〜５のいずれか一項に記載の付帯構造物の支持構造において、
前記第一部材の下方はピロティとされており、
前記第一部材は、前記ピロティに立設される柱部の上端部に載置されていることを特徴とする付帯構造物の支持構造。
【発明の詳細な説明】
【技術分野】
【０００１】
本発明は、付帯構造物の支持構造に関する。
【背景技術】
【０００２】
従来、複数の建物ユニットで構成されるユニット住宅では、例えばバルコニーユニットなどの付帯構造物を安定して支持すべく付帯構造物の側面が建物ユニットと面一となるような付帯構造物の支持構造が採用されている（例えば特許文献１参照）。
【先行技術文献】
【特許文献】
【０００３】
【特許文献１】特開２０１３−９６１４１号公報
【発明の概要】
【発明が解決しようとする課題】
【０００４】
ところで、近年、より多様な顧客のニーズに応えるべく、付帯構造物における意匠上の自由度を高めることが望まれている。しかしながら、顧客のニーズによっては、例えば付帯構造物の側面が建物ユニットと面一とならないように外方に突出させるなど、付帯構造物を支持する上で必要な強度が考慮されていない場合もある。そこで、付帯構造物における意匠上の自由度を高めるために、強度面の不安定性を抑制することが可能な技術の開発が望まれていた。
このため、本発明の課題は、強度面の不安定性を抑制しつつ、付帯構造物における意匠上の自由度を高めることが可能な付帯構造物の支持構造を提供することである。
【課題を解決するための手段】
【０００５】
請求項１記載の発明は、例えば図３，図４及び図８に示すように、
柱部１０１、１５１に対して梁（天井梁１０２、床梁１５２）を接合してなる複数の建物ユニット１００，１５０に、当該建物ユニット１００，１５０に付帯的に取り付けられる少なくとも一つの付帯構造物（バルコニーユニット１９）を組み付けるための付帯構造物の支持構造（バルコニー支持構造２０）において、
建物の外周側に配置される建物ユニット１００の側面から外方へ突出するように、前記付帯構造物を上面で支持する水平材２１を備え、
前記水平材２１は、
前記建物ユニット１００の一側面１００ａ側に取り付けられ、当該一側面１００ａに隣接して直交する他側面１００ｂから外方に向けて突出する第一部材（主フレーム３０）と、
前記他側面１００ｂから前記第一部材の突出方向に沿って突出し、なおかつ前記柱部１０１に接合された第二部材（副フレーム４０）とを備え、
前記付帯構造物は、前記第一部材と、前記第二部材とに跨がるように連続していることを特徴としている。
【０００６】
請求項１記載の発明によれば、第一部材が建物ユニット１００の他側面１００ｂから突出するとともに、第二部材も建物ユニット１００の他側面１００ｂから第一部材の突出方向に沿って突出している。そして、付帯構造物が第一部材及び第二部材に跨がるように連続して水平材２１の上面で支持されているので、付帯構造物も建物ユニット１００から突出したデザインとすることができる。
そして、第二部材においては、建物ユニット１００の柱部１０１に接合されているために、第二部材の接合強度も確保されることになる。したがって、建物ユニット１００から突出した付帯構造物を採用したとしても、強度面の不安定性を抑制することができる。
これらのことにより、強度面の不安定性を抑制しつつ、付帯構造物における意匠上の自由度を高めることが可能な付帯構造物の支持構造を提供することができる。
【０００７】
請求項２記載の発明は、例えば図４及び図８に示すように、請求項１記載の付帯構造物の支持構造において、
前記付帯構造物は、下階の前記建物ユニット１００と上階の前記建物ユニット１５０の境界部分に設けられたバルコニーユニット１９であり、
前記第二部材は、下階の前記建物ユニット１００の天井梁１０２及び前記柱部１０１に接合されていて、
前記バルコニーユニット１９は、前記上階の建物ユニット１５０の床梁１５２に接合されていることを特徴としている。
【０００８】
請求項２記載の発明によれば、第二部材が一階の建物ユニット１００の天井梁１０２及び柱部１０１に接合されているので、第二部材を柱部１０１のみに接合した場合と比しても強固に第二部材を接合することができる。
さらに、バルコニーユニット１９が二階の建物ユニット１５０の床梁１５２に接合されているので、バルコニーユニット１９を単に第一部材及び第二部材に係合させた場合と比しても強固にバルコニーユニット１９を接合することができる。
そして、バルコニーユニット１９が第一部材と第二部材とに跨がるように連続しているために、防水シート等の防水処理をバルコニーユニット１９に施す際に当該防水シートを連続するように敷設することができ、防水性を高めることが可能となる。
【０００９】
請求項３記載の発明は、例えば図４に示すように、請求項２記載の付帯構造物の支持構造において、
前記第二部材は、
一端部が前記柱部１０１に接合されて、前記突出方向に延在する第一フレーム材４１と、
一端部が前記天井梁１０２に接合されて、前記第一フレーム材４１から所定の間隔を空けて、当該第一フレーム材４１に平行に延在する第二フレーム材４２と、
前記第一フレーム材４１と前記第二フレーム材４２との他端部同士を連結する連結部材４３とを備えることを特徴としている。
【００１０】
請求項３記載の発明によれば、一端部が柱部１０１に接合された第一フレーム材４１と、一端部が天井梁１０２に接合された第二フレーム材４２とが互いに平行に設けられているので、第二部材を柱部１０１及び天井梁１０２に接合しやすくすることができる。そして、第一フレーム材４１と第二フレーム材４２との他端部同士が連結部材４３によって連結されているので、第二部材自体の強度を高めることができる。
【００１１】
請求項４記載の発明は、例えば図５に示すように、請求項３記載の付帯構造物の支持構造において、
前記第一フレーム材４１には、前記第一部材に接合される第一部材用接合部（主フレーム用接合部４６）が設けられていることを特徴としている。
【００１２】
請求項４記載の発明によれば、第一フレーム材４１には、主フレーム３０に接合される第一部材用接合部が設けられているので、この第一部材用接合部によって主フレーム３０と副フレーム４０とを一体的に接合することができる。
【００１３】
請求項５記載の発明は、例えば図３に示すように、請求項１〜４のいずれか一項に記載の付帯構造物の支持構造において、
前記第一部材は、前記下階の建物ユニットの少なくとも一部を閉塞するためのシャッターの収容ボックス上端部が収容されるシャッター収容領域Ｓを有することを特徴としている。
【００１４】
請求項５記載の発明によれば、シャッター収容領域Ｓが第一部材に設けられているので、主フレーム３０下方の空間を有効活用することができる。
【００１５】
請求項６記載の発明は、例えば、図８及び図９に示すように、請求項１〜５のいずれか一項に記載の付帯構造物の支持構造において、
前記第一部材の下方はピロティとされており、
前記第一部材は、前記ピロティに立設される柱部１９５，１９６の上端部に載置されていることを特徴としている。
【００１６】
請求項６記載の発明によれば、ピロティに立設される柱部１９５，１９６の上端部に第一部材が載置されているので、第一部材の下方がピロティであっても柱部１９５，１９６により安定して第一部材を支持することができる。
【発明の効果】
【００１７】
本発明によれば、強度面の不安定性を抑制しつつ、付帯構造物における意匠上の自由度を高めることが可能な付帯構造物の支持構造を提供することができる。
【図面の簡単な説明】
【００１８】
【図１】本実施形態に係る付帯構造物の支持構造を備える住宅の一階部分の間取りを示す平面図である。
【図２】図１の住宅の二階部分の間取りを示す平面図である。
【図３】本実施形態に係る主フレーム及び副フレームの概略構成を示す平面図である。
【図４】図３に示す主フレーム及び副フレームの一部を拡大した拡大図である。
【図５】本実施形態に係る副フレームの概略構成を示す斜視図である。
【図６】本実施形態に係る柱頭接合部材及び天井梁の一部分を拡大して示す正面図である。
【図７】本実施形態に係るバルコニーユニットの概略構成を示す平面図である。
【図８】本実施形態に係る主フレームとバルコニーユニットとの上下方向の位置関係を示す説明図である。
【図９】本実施形態に係るバルコニーユニットの下方部分の概略構成を示す平面図である。
【図１０】組み立て途中の柱部の要部構成を示す断面図である。
【図１１】組み立て後の柱部の要部構成を示す断面図である。
【発明を実施するための形態】
【００１９】
以下、図面を参照して本発明の実施の形態について説明する。図１は本実施形態に係る付帯構造物の支持構造を備える住宅の一階部分の間取りを示す平面図であり、図２は前記住宅の二階部分の間取りを示す平面図である。
なお、住宅１は、ユニット式の住宅であり、一階及び二階共に複数の建物ユニットを配列することにより構築されている。建物ユニットは、柱部に対して梁を接合することにより形成されている。
【００２０】
図１に示すように、住宅１の一階の南東の角部には玄関２が配置されている。玄関２の西側には居間３が配置され、その西側にはダイニングキッチン４が配置されている。また、玄関２の北側には洋間５が配置されている。洋間５の西側であって居間３の北側には洋間６が配置されている。洋間６の西側であってダイニングキッチン４の北側には、洗面所７及び浴室８が配置されている。居間３の洋間６の間には二階へと続く階段９が配置されている。
【００２１】
図２に示すように、住宅１の二階の略中央部には階段９があり、階段９の南側がホール１０となっている。ホール１０の東側には洋間１１が配置されている。洋間１１の北側であってホール１０の東側には子ども部屋１２が配置されている。子ども部屋１２の北側には洋間１３が配置されている。洋間１３の西側であって階段９の北側には洋間１４が配置されている。ホール１０の西側には寝室前室１５が配置されている。寝室前室１５の北側であって洋間１４の西側には寝室１６及びクローゼット１７が配置されている。そして、ホール１０及び洋間１１の南側にはバルコニー１８が配置されている。
【００２２】
バルコニー１８は、一階（下階）の建物ユニット１００（図３参照）及び当該下階の建物ユニット１００上に載置される二階（上階）の建物ユニット１５０（図８参照）の境界部分に設けられたバルコニーユニット１９と、当該バルコニーユニット１９を前記境界部分に設けるためのバルコニー支持構造２０（図３参照）とによって構成されている。
なお、バルコニーユニット１９は建物ユニット１００に対して付帯的に取り付けられた本発明に係る付帯構造物である。また、バルコニー支持構造２０は、複数の建物ユニットに、少なくとも一つの付帯構造物を組み付けるための本発明に係る付帯構造物の支持構造である。
【００２３】
バルコニー支持構造２０には、建物の外周面に配置される建物ユニット１００の側面から外方へ突出するように、バルコニーユニット１９を上面で支持する水平材２１が設けられている。
水平材２１には、主フレーム３０と、副フレーム４０とが備えられている。図３は、主フレーム３０及び副フレーム４０の概略構成を示す平面図であり、図４はその一部を拡大した拡大図である。
主フレーム３０は、本発明に係る第一部材であり、図３に示すように、全体として上面視略矩形状に形成されている。主フレーム３０は、建物ユニット１００の一側面１００ａ側に取り付けられ、当該一側面１００ａに隣接して直交する他側面１００ｂから外方に向けて突出している。主フレーム３０は一階の建物ユニット１００の柱部１０１や天井梁１０２に図示しないブラケットを介して接合されている。柱部１０１は、柱頭接合部材１０１ａ、柱１０１ｂ及び柱脚接合部材（図示省略）とを備えていて、この柱部１０１の柱頭接合部材１０１ａに主フレーム３０が接合されている。
主フレーム３０には、建物ユニット１００と略同じ幅に形成された内側フレーム３１と、建物ユニット１００よりも幅が大きく形成されて、内側フレーム３１に隣接した外側フレーム３２とを備えている。このため、外側フレーム３２の一端部は、建物ユニット１００の他側面１００ｂから突出することになる。
また、内側フレーム３１は、一階の建物ユニット１００の少なくとも一部を閉塞するためのシャッターの収容ボックスの上端部が収容されるシャッター収容領域Ｓを備えている。シャッターにより閉塞される部分としては、一階の建物ユニット１００に設けられた窓等である。
【００２４】
副フレーム４０は、本発明に係る第二部材であり、図４に示すように一階の建物ユニット１００の側面から主フレーム３０の突出方向に沿って突出している。副フレーム４０の上面は、主フレーム３０の上面と面一となっている。
【００２５】
以下、副フレーム４０について詳細に説明する。
図５は副フレーム４０の概略構成を示す斜視図である。図４及び図５に示すように副フレーム４０には、上面視コ字状に形成されたフレームである。副フレーム４０には、第一フレーム材４１と、第二フレーム材４２と、これらを連結する連結部材４３とが備えられている。
第一フレーム材４１は、一端部が柱部１０１の柱頭接合部材１０１ａに接合され、突出方向に延在している。第二フレーム材４２は、一端部が天井梁１０２に接合され、第一フレーム材４１から所定の間隔を空けて、当該第一フレーム材４１に平行に延在している。第一フレーム材４１と第二フレーム材４２との上面には、高さ調整用の合板４４が取り付けられている。
連結部材４３は、第一フレーム材４１と第二フレーム材４２との先端部同士を連結している。
第一フレーム材４１及び第二フレーム材４２の先端部には、ネジ止め用の貫通孔４５が形成されている。第一フレーム材４１は一階の建物ユニット１００の柱頭接合部材１０１ａに接合され、第二フレーム材４２は一階の建物ユニット１００の天井梁１０２に接合される。
【００２６】
図６は、柱頭接合部材１０１ａ及び天井梁１０２の一部分を拡大して示す正面図である。図６に示すように、柱頭接合部材１０１ａには、第一フレーム材４１が接合される第一ブラケット２１０が取り付けられている。この第一ブラケット２１０には、第一フレーム材４１の貫通孔４４に対応してネジ穴２１１が形成されている。
他方、天井梁１０２には、第二フレーム材４２が接合される第二ブラケット２２０が取り付けられている。この第二ブラケット２２０には、第二フレーム材４２の貫通孔４５に対応してネジ穴２２１が形成されている。
第一フレーム材４１を第一ブラケット２１０に当接させ、なおかつ第二フレーム材４２を第二ブラケット２２０に当接させてから、貫通孔４５を介してネジ穴２１１，２２１にネジを螺合することにより、一階の建物ユニット１００に副フレーム４０が接合されることになる。
【００２７】
また、図５に示すように、第一フレーム材４１における主フレーム３０側の側面には、主フレーム３０に接合される主フレーム用接合部（第一部材用接合部）４６が設けられている。主フレーム用接合部４６は、主フレーム３０を下方から支持する支持台４６１と、支持台４６１の上面から上方に向けて突出した第一係合ピン４６２と、支持台４６１に形成された第一係合孔４６３とを備えている。
図４に示すように、主フレーム３０における支持台４６１に対応する部分には、下方に向けて突出し、第一係合孔４６３に係合する第二係合ピン３０１と、第一係合ピン４６２が係合する第二係合孔３０２とが設けられている。
第一係合ピン４６２が第二係合孔３０２に係合し、第二係合ピン３０１が第一係合孔４６３に係合することで、主フレーム３０と副フレーム４０とが位置合わせされ、なおかつ両者が接合されることになる。
【００２８】
図７は、バルコニーユニット１９の概略構成を示す平面図である。図７に示すように、バルコニーユニット１９には、床部１９１と、床部１９１を囲む壁部１９２とが備えられている。
床部１９１は、主フレーム３０に重なって支持される上面視略矩形状の主床部１９３と、副フレーム４０に重なるように主床部１９３の角部から突出し、副フレーム４０に支持される副床部１９４とを備えている。このように、バルコニーユニット１９の床部１９１は、主フレーム３０及び副フレーム４０上に載置され、主フレーム３０及び副フレーム４０に跨がるように連続している。
【００２９】
図８は、主フレーム３０とバルコニーユニット１９との上下方向の位置関係を示す説明図である。前述した通り、主フレーム３０は、一階の建物ユニット１００の柱頭接合部材１０１ａや天井梁１０２に図示しないブラケットを介して接合されている。他方、バルコニーユニット１９は、二階の建物ユニット１５０の柱部１５１や床梁１５２に図示しないブラケットを介して接合されている。柱部１５１は、柱頭接合部材（図示省略）、柱１５１ｂ及び柱脚接合部材１５１ｃとを備えていて、この柱部１５１の柱脚接合部材１５１ｃにバルコニーユニット１９が接合されている。
【００３０】
図９は、バルコニーユニット１９の下方部分の概略構成を示す平面図である。この部分においては、バルコニーユニット１９を支えるための柱部１９５，１９６が設けられている。また、バルコニーユニット１９の角部に設けられた柱部１９５がなす一側面には、ルーバー１９７が設置されている。そして、柱部１９５，１９６及びルーバー１９７以外の部分は吹き放ちの空間となっている。つまり、主フレーム３０の下方はピロティとなっている。
【００３１】
図１０及び図１１は柱部１９５，１９６の要部構成を示す断面図である。図１０は組み立て途中の状態を示し、図１１は組み立て後の状態を示している。
柱部１９５，１９６には、一対のピロティ間柱１９８の周囲を囲んで中空となるように壁材１９９が取り付けられている。具体的には、一対のピロティ間柱１９８を支持する台座２００には、中央部が凸状となったブラケット２０１が設けられている。このブラケット２０１に対して、壁材１９９を取り付ける。ここで、正面側の壁材１９９ａの方が背面側の壁材１９９ｂよりも高くなるように、正面側の壁材１９９ａとブラケット２０１との間には高さ調整材２０２が介在している。壁材１９９及び高さ調整材２０２はビス２０３によってブラケット２０１に取り付けられている。他方、一対のピロティ間柱１９８の上部にも、壁材固定用のブラケット（図示省略）が設けられており、このブラケットを介して壁材１９９の上部がピロティ間柱１９８に取り付けられている。ピロティ間柱１９８の上部には主フレーム３０が載置されるために、ピロティ間柱１９８が主フレーム３０を支持することになる。
【００３２】
以上のように、本実施形態によれば、主フレーム３０の一端部が建物ユニット１００の側面から突出するとともに、副フレーム４０も建物ユニット１００の側面から主フレームの突出方向に沿って突出している。そして、付帯構造物であるバルコニーユニット１９が、主フレーム３０及び副フレーム４０に跨がるように連続して、主フレーム３０及び副フレーム４０に載置されているので、バルコニーユニット１９も建物ユニット１００から突出したデザインとすることができる。
そして、副フレーム４０においては、建物ユニット１００の柱部１０１に接合されているために、副フレーム４０の接合強度も確保されることになる。したがって、建物ユニット１００から突出したバルコニーユニット１９を採用したとしても、強度面の不安定性を抑制することができる。
これらのことにより、強度面の不安定性を抑制しつつ、付帯構造物における意匠上の自由度を高めることが可能な付帯構造物の支持構造を提供することができる。
【００３３】
また、副フレーム４０が一階の建物ユニット１００の天井梁１０２及び柱頭接合部材１０１ａに接合されているので、副フレーム４０を柱頭接合部材１０１ａのみに接合した場合と比しても強固に副フレーム４０を接合することができる。
さらに、バルコニーユニット１９が二階の建物ユニット１５０の床梁１５２に接合されているので、バルコニーユニット１９を単に主フレーム３０及び副フレーム４０に係合させた場合と比しても強固にバルコニーユニット１９を接合することができる。
そして、バルコニーユニット１９が主フレーム３０と副フレーム４０とに跨がるように連続しているために、防水シート等の防水処理をバルコニーユニット１９に施す際に当該防水シートを連続するように敷設することができ、防水性を高めることが可能となる。
【００３４】
また、一端部が柱頭接合部材１０１ａに接合された第一フレーム材４１と、一端部が天井梁１０２に接合された第二フレーム材４２とが互いに平行に設けられているので、副フレーム４０を柱頭接合部材１０１ａ及び天井梁１０２に接合しやすくすることができる。そして、第一フレーム材４１と第二フレーム材４２との他端部同士が連結部材４３によって連結されているので、副フレーム４０自体の強度を高めることができる。
【００３５】
また、第一フレーム材４１には、主フレーム３０に接合される主フレーム用接合部４６が設けられているので、この主フレーム用接合部４６によって主フレーム３０と副フレーム４０とを一体的に接合することができる。
【００３６】
また、シャッターの収容ボックス上端部が収用されるシャッター収容領域Ｓが主フレーム３０に設けられているので、主フレーム３０下方の空間にシャッターを設置することができ、この空間を有効活用することができる。
【００３７】
また、ピロティに立設される柱部１９５，１９６の上端部に主フレーム３０が載置されているので、主フレーム３０の下方がピロティであっても柱部１９５，１９６により安定して主フレーム３０を支持することができる。
【００３８】
なお、本発明は上記実施形態に限らず適宜変更可能である。
例えば、上記実施形態では、二階建ての住宅１を例示し、一階の建物ユニット１００と二階の建物ユニット１５０との境界部分にバルコニーユニット１９が設けられている場合を例示して説明したが、三階建て以上の住宅である場合には、一階と二階との境界部分よりも上方の上階と下階の境界部分にバルコニーを設ける場合にも本発明に係る付帯構造物の支持構造を適用することが可能である。
【００３９】
また、上記実施形態では、バルコニーユニット１９の下方が柱部１９５，１９６からなる吹き放ちの空間である場合を例示して説明したが、バルコニーユニット１９の下方に建物ユニットを配置することも可能である。
また、上記実施形態では、主フレーム３０及び副フレーム４０が一階の建物ユニット１００の柱部１０１や天井梁１０２に接合されている場合を例示して説明したが、主フレーム３０及び副フレーム４０を二階の建物ユニット１５０の柱脚接合部材１５１ｃや床梁１５２に接合することも可能である。
【００４０】
また、上記実施形態では、柱部１０１における柱頭接合部材１０１ａに副フレーム４０が接合された場合を例示して説明したが、柱部１０１に接合されるのであれば柱部１０１の如何なる部分（例えば柱１０１ｂ）に接合されていてもよい。
また、上記実施形態では、付帯構造物としてバルコニーユニット１９を例示して説明したが、建物ユニット１００，１５０に付帯的に取り付けられるものであればいかなるものでもよい。その他の付帯構造物としては、例えば小屋裏空間の床や、屋根束を支えるパネルなどの付帯的に取り付けられる小屋裏空間用の構造物や、屋上を形成する上で建物ユニットに付帯的に取り付けられる屋上用の構造物などが挙げられる。
【００４１】
また、上記実施形態では、第一フレーム材４１、第二フレーム材４２及び連結部材４３を備えたフレーム形状の副フレーム４０を本発明に係る第二部材として例示して説明したが、第二部材としては、フレーム形状でなくとも面状体であっても構わない。
【符号の説明】
【００４２】
１      住宅
１９      バルコニーユニット（付帯構造物）
２０      バルコニー支持構造（付帯構造物の支持構造）
２１      水平材
３０      主フレーム
３１      内側フレーム
３２      外側フレーム
４０      副フレーム
４１      第一フレーム材
４２      第二フレーム材
４３      連結部材
４６      主フレーム用接合部（第一部材用接合部）
１００      建物ユニット
１００ａ    一側面
１００ｂ    他側面
１０１      柱部
１０２      天井梁
１５０      建物ユニット
１５１      柱脚接合部材
１５２      床梁
Ｓ      シャッター
【図１】
2015052220.tif 000003
【図２】
2015052220.tif 000004
【図３】
2015052220.tif 000005
【図４】
2015052220.tif 000006
【図５】
2015052220.tif 000007
【図６】
2015052220.tif 000008
【図７】
2015052220.tif 000009
【図８】
2015052220.tif 000010
【図９】
2015052220.tif 000011
【図１０】
2015052220.tif 000012
【図１１】
2015052220.tif 000013